(57)【要約】【課題】  山岳トンネル内のアーチ状の二次覆工コンクリートを簡単な構造で確実かつ低コストで養生させることができる覆工コンクリート養生構造を提供する。【解決手段】  山岳トンネル１１内のアーチ状の二次覆工コンクリート１２の内壁面１２ａを養生材１３で覆って該アーチ状の二次覆工コンクリート１２を養生させるようにした覆工コンクリート養生構造１０において、アーチ状の二次覆工コンクリート１２の内壁面１２ａを、該アーチ状の二次覆工コンクリート１２の内壁面１２ａの曲率に応じた形状の表面１３ａを有した養生材としての複数の発砲スチロール材１３で覆うと共に、該複数の発砲スチロール材１３の各裏面１３ｂを保持部材としてのアーチ状のエアチューブ１４で保持するようにした。【選択図】      図１
2006328869.tif 000002
【特許請求の範囲】
【請求項１】
アーチ状の覆工コンクリートの内周面を養生材で覆って該アーチ状の覆工コンクリートを養生させるようにした覆工コンクリート養生構造において、
前記アーチ状の覆工コンクリートの内周面を、該アーチ状の覆工コンクリートの内周面の曲率に応じた形状の表面を有した複数の養生材で覆うと共に、該複数の養生材の各裏面をアーチ状の保持材で保持自在にしたことを特徴とする覆工コンクリート養生構造。
【請求項２】
請求項１記載の覆工コンクリート養生構造であって、
前記複数の養生材を略矩形板状にそれぞれ形成し、この略矩形板状の各養生材の周囲に係止凸部と係止凹部をそれぞれ形成して、これら係止凸部と係止凹部を介して相隣接する養生材同士を係止自在にしたことを特徴とする覆工コンクリート養生構造。
【請求項３】
請求項１記載の覆工コンクリート養生構造であって、
前記複数の養生材の各裏面の中央に前記アーチ状の保持材を係合する係合凹部をそれぞれ形成したことを特徴とする覆工コンクリート養生構造。
【請求項４】
請求項１記載の覆工コンクリート養生構造であって、
前記複数の養生材として発砲スチロール材を用いたことを特徴とする覆工コンクリート養生構造。
【請求項５】
請求項１記載の覆工コンクリート養生構造であって、
前記アーチ状の保持材としてエアチューブを用いたことを特徴とする覆工コンクリート養生構造。
【発明の詳細な説明】
【技術分野】
【０００１】
本発明は、例えば、山岳トンネル内の既打設でアーチ状の二次覆工コンクリート等を初期養生させる際に用いて好適な覆工コンクリート養生構造に関する。
【背景技術】
【０００２】
この種の覆工コンクリート養生構造として、図５に示すものがある。この覆工コンクリート養生構造は、図５に示すように、山岳トンネル内の既打設でアーチ状の二次覆工コンクリート１内の所定箇所を区切る両側のアーチ状のバルーン２，２と、この両側のバルーン２，２間を密閉する密閉用シート３と、これら二次覆工コンクリート１の内壁面１ａと両側のバルーン２，２及び密閉用シート３との間で形成される空間に空気を送風する送風管４とを備えている。
【０００３】
そして、二次覆工コンクリート１の内壁面１ａと両側のバルーン２，２及び密閉用シート３との間に空気層を作ることによってその内部を保温し、二次覆工コンクリート１を初期養生させるようになっている。
【特許文献１】特開２００１−１２３７９４号公報
【特許文献２】特開平１１−６２４８９号公報
【発明の開示】
【発明が解決しようとする課題】
【０００４】
しかしながら、前記従来の覆工コンクリート養生構造では、密閉用シート３をアーチ状に保持するために、アーチ形の風船等から成る両側のバルーン２，２の他に、図示しない鋼製等の架台が必要不可欠となり、その分、設備が大掛かりになるうえに、密閉用シート３の自重も大きくなり、全体の構造が複雑になると共に、コスト高になった。
【０００５】
そこで、本発明は、前記した課題を解決すべくなされたものであり、アーチ状の覆工コンクリートを簡単な構造で確実かつ低コストで養生させることができる覆工コンクリート養生構造を提供することを目的とする。
【課題を解決するための手段】
【０００６】
請求項１の発明は、アーチ状の覆工コンクリートの内周面を養生材で覆って該アーチ状の覆工コンクリートを養生させるようにした覆工コンクリート養生構造において、前記アーチ状の覆工コンクリートの内周面を、該アーチ状の覆工コンクリートの内周面の曲率に応じた形状の表面を有した複数の養生材で覆うと共に、該複数の養生材の各裏面をアーチ状の保持材で保持自在にしたことを特徴とする。
【０００７】
請求項２の発明は、請求項１記載の覆工コンクリート養生構造であって、前記複数の養生材を略矩形板状にそれぞれ形成し、この略矩形板状の各養生材の周囲に係止凸部と係止凹部をそれぞれ形成して、これら係止凸部と係止凹部を介して相隣接する養生材同士を係止自在にしたことを特徴とする。
【０００８】
請求項３の発明は、請求項１記載の覆工コンクリート養生構造であって、前記複数の養生材の各裏面の中央に前記アーチ状の保持材を係合する係合凹部をそれぞれ形成したことを特徴とする。
【０００９】
請求項４の発明は、請求項１記載の覆工コンクリート養生構造であって、前記複数の養生材として発砲スチロール材を用いたことを特徴とする。
【００１０】
請求項５の発明は、請求項１記載の覆工コンクリート養生構造であって、前記アーチ状の保持材としてエアチューブを用いたことを特徴とする。
【発明の効果】
【００１１】
以上説明したように、請求項１の発明によれば、アーチ状の覆工コンクリートの内周面を、該アーチ状の覆工コンクリートの内周面の曲率に応じた形状の表面を有した複数の養生材で覆うと共に、該複数の養生材の各裏面をアーチ状の保持材で保持自在にしたことにより、アーチ状の覆工コンクリートを簡単な構造で確実かつ低コストで養生させることができる。これにより、打設した後の覆工コンクリート面の保湿効果及び断熱、保温効果を高めることができ、ひび割れのない高品質な覆工コンクリートを構築することができる。
【００１２】
請求項２の発明によれば、複数の養生材を略矩形板状にそれぞれ形成し、この略矩形板状の各養生材の周囲に係止凸部と係止凹部をそれぞれ形成して、これら係止凸部と係止凹部を介して相隣接する養生材同士を係止自在にしたことにより、相隣接する養生材同士の繋ぎ部分の隙間を簡単かつ確実に遮蔽することができ、外気を確実かつ有効に遮断することができる。
【００１３】
請求項３の発明によれば、複数の養生材の各裏面の中央にアーチ状の保持材を係合する係合凹部をそれぞれ形成したことにより、複数の養生材の各裏面の中央の係合凹部にアーチ状の保持材を確実に係合させることできると共に、複数の養生材の各表面をアーチ状の覆工コンクリートの内周面に密着、或いは、微小の空気層を介して確実に当接させることができる。
【００１４】
請求項４の発明によれば、複数の養生材として発砲スチロール材を用いたことにより、アーチ状の覆工コンクリートの内周面の曲率に応じた形状に各発砲スチロール材の表面を簡単かつ確実に加工することができ、また、発砲スチロール材は軽量なため、アーチ状の覆工コンクリートの内周面に沿って周方向の全周に亘って発砲スチロール材を簡単かつ確実に建て込むことができる。
【００１５】
請求項５の発明によれば、アーチ状の保持材としてエアチューブを用いたことにより、このアーチ状のエアチューブにてアーチ状の覆工コンクリートの内周面に複数の養生材を均等に押し付けることができる。
【発明を実施するための最良の形態】
【００１６】
以下、本発明の一実施形態を図面に基づいて説明する。
【００１７】
図１は本発明の一実施形態の覆工コンクリート養生構造を示す断面図、図２は同養生構造に用いられる養生材を建て込む前の状態を示す斜視図、図３は同養生材を建て込んだ状態を示す斜視図、図４（ａ）〜図４（ｃ）は同養生構造ができるまでの手順を示す断面図である。
【００１８】
図１，図４に示すように、覆工コンクリート養生構造１０は、例えば、山岳トンネル１１内の既打設でアーチ状の二次覆工コンクリート（覆工コンクリート）１２の内壁面（内周面）１２ａを複数の発砲スチロール材（養生材）１３で覆って該アーチ状の二次覆工コンクリート１２を養生させるものである。即ち、既打設でアーチ状の二次覆工コンクリート１２の内壁面１２ａは、該アーチ状の二次覆工コンクリート１２の内壁面１２ａの曲率に応じた形状の表面１３ａを有した複数の発砲スチロール材１３で覆われており、また、この複数の発砲スチロール材１３の各裏面１３ｂはゴム製でアーチ状のエアチューブ（保持材）１４で保持されるようになっている。
【００１９】
図２，図３に示すように、各発砲スチロール材１３は略矩形板状にそれぞれ形成してあり、その裏面１３ｂの中央にはアーチ状のエアチューブ１４を係合する係合凹部１３ｃを形成してある。また、各発砲スチロール材１３の上部と左側部には繋ぎ部としての係止凸部１３ｄを形成してあると共に、各発砲スチロール材１３の右側部と下部には繋ぎ部としての係止凹部１３ｅを形成してある。これら係止凸部１３ｄと係止凹部１３ｅを介して相隣接する発砲スチロール材１３，１３同士が係止されるようになっている。尚、発砲スチロール材１３の幅（Ｓ）は例えば２００ｃｍ、高さ（Ｈ）は例えば７０ｃｍ、厚さ（Ｔ）は例えば１０ｃｍ、にそれぞれ形成してあるが、高さ（Ｈ）は異なるサイズのものが予め用意されている。
【００２０】
次に、図４（ａ）〜図４（ｃ）に沿って上記した構成の覆工コンクリート養生構造１０ができるまでの手順を説明する。
【００２１】
まず、図４（ａ）に示すように、山岳トンネル１１内の地盤上の両側にエアチューブ１４の両端を固定し、該エアチューブ１４内に空気を注入して膨らませる。そして、山岳トンネル１１内の既打設でアーチ状の二次覆工コンクリート１２の内壁面１２ａに沿うようにエアチューブ１４を立てる。この際に、エアチューブ１４内には空気を完全に入れることなく、アーチ状の二次覆工コンクリート１２の内壁面１２ａとエアチューブ１４との間に発砲スチロール材１３を建て込む空間を作っておく。
【００２２】
次に、図４（ｂ）に示すように、アーチ状の二次覆工コンクリート１２の内壁面１２ａとエアチューブ１４との間に発砲スチロール材１３を挿入してアーチ状の二次覆工コンクリート１２の内壁面１２ａに沿って周方向に発砲スチロール材１３を建て込んで行く。この際に、略矩形板状の各発砲スチロール材１３の周囲に形成された係止凸部１３ｄと係止凹部１３ｅを介して相隣接する発砲スチロール材１３同士を係止させる。また、各発砲スチロール材１３の各裏面１３ｂの中央の係合凹部１３ｃにアーチ状のエアチューブ１４を係合させる。
【００２３】
そして、図４（ｃ）に示すように、アーチ状の二次覆工コンクリート１２の内壁面１２ａに沿って周方向の全周に亘って発砲スチロール材１３を建て込んだ後に、エアチューブ１４内には空気を完全に入れて、この空気が十分に注入されたアーチ状のエアチューブ１４でアーチ状の二次覆工コンクリート１２の内壁面１２ａに複数の発砲スチロール材１３を均等に押し付けることにより、図１及び図４（ｃ）に示す覆工コンクリート養生構造１０が完成する。
【００２４】
この覆工コンクリート養生構造１０では、図１に示すように、発砲スチロール材１３がアーチ状の二次覆工コンクリート１２の内壁面１２ａに密着、もしくは微小の空気層を有して保持されることで、アーチ状の二次覆工コンクリート１２の内壁面１２ａから逸脱する水分を封じ込むことができる。これにより、アーチ状の二次覆工コンクリート１２の内壁面１２ａの付近の湿度は高く、湿潤な状態に保たれ、保湿効果が高められる。
【００２５】
また、発砲スチロール材１３がアーチ状の二次覆工コンクリート１２の内壁面１２ａに密着、もしくは微小の空気層を有して保持されることで、アーチ状の二次覆工コンクリート１２の内壁面１２ａから放熱される硬化熱を封じ込むことができる。これにより、アーチ状の二次覆工コンクリート１２の内外の温度差を少なくすることができ、断熱、保温効果を高めることができる。
【００２６】
以上実施形態の覆工コンクリート養生構造１０によれば、山岳トンネル１１内の既打設でアーチ状の二次覆工コンクリート１２の内壁面１２ａを、該アーチ状の二次覆工コンクリート１２の内壁面１２ａの曲率に応じた形状の表面１３ａを有した複数の発砲スチロール材１３で覆うと共に、該複数の発砲スチロール材１３の各裏面１３ｂをアーチ状のエアチューブ１４で保持するようにしたことにより、アーチ状の二次覆工コンクリート１２を簡単な構造で確実かつ低コストで養生させることができる。これにより、打設した後の二次覆工コンクリート１２の内壁面１２ａの保湿効果及び断熱、保温効果を高めることができ、ひび割れのない高品質な二次覆工コンクリート１２を構築することができる。
【００２７】
また、複数の発砲スチロール材１３を略矩形板状にそれぞれ形成し、この略矩形板状の各発砲スチロール材１３の周囲に係止凸部１３ｄと係止凹部１３ｅをそれぞれ形成して、これら係止凸部１３ｄと係止凹部１３ｅを介して相隣接する発砲スチロール材１３同士を係止するようにしたことにより、相隣接する発砲スチロール材１３同士の繋ぎ部分の隙間を簡単かつ確実に遮蔽することができ、外気を確実かつ有効に遮断することができる。
【００２８】
さらに、複数の発砲スチロール材１３の各裏面１３ｂの中央にアーチ状のエアチューブ１４を係合する係合凹部１３ｃをそれぞれ形成したことにより、複数の発砲スチロール材１３の各裏面１３ｂの中央の係合凹部１３ｃにアーチ状のエアチューブ１４を確実に係合させることできると共に、複数の発砲スチロール材１３の各表面１３ａをアーチ状の二次覆工コンクリート１２の内壁面１２ａに密着、或いは、微小の空気層を介して確実に当接させることができる。
【００２９】
さらに、複数の養生材として発砲スチロール材１３を用いたことにより、アーチ状の二次覆工コンクリート１２の内壁面１２ａの曲率に応じた形状に各発砲スチロール材１３の表面１３ａを簡単かつ確実に加工することができる。また、発砲スチロール材１３は軽量なため、アーチ状の二次覆工コンクリート１２の内壁面１２ａに沿って周方向の全周に亘って発砲スチロール材１３を簡単かつ確実に建て込むことができる。さらに、アーチ状の保持材としてエアチューブ１４を用いたことにより、このアーチ状のエアチューブ１４にてアーチ状の二次覆工コンクリート１２の内壁面１２ａに複数の発砲スチロール材１３を均等に押し付けることができる。
【００３０】
尚、前記実施形態によれば、山岳トンネル内の既打設でアーチ状の二次覆工コンクリートを初期養生する場合について説明したが、養生対象は山岳トンネル内の既打設の二次覆工コンクリートに限られず、例えば、アーチカルバート等の他のアーチ状の二次覆工コンクリートに前記実施形態を適用しても良い。また、養生材として発砲スチロール材を用いたが、他の軽量な断熱材等を用いても良い。さらに、保持材としてエアチューブを用いたが、アール加工した鋼製山形鋼や復元力のあるグラスファイバーや塩化ビニルパイプ等を用いても良い。この塩化ビニルパイプを用いた場合には、軽量かつ安価で経済性の面で有利になる。
【図面の簡単な説明】
【００３１】
【図１】本発明の一実施形態の覆工コンクリート養生構造を示す断面図である。
【図２】上記養生構造に用いられる養生材を建て込む前の状態を示す斜視図である。
【図３】上記養生材を建て込んだ状態を示す斜視図である。
【図４】（ａ）〜（ｃ）は上記養生構造ができるまでの手順を示す断面図である。
【図５】従来の覆工コンクリート養生構造を示す斜視図である。
【符号の説明】
【００３２】
１０  覆工コンクリート養生構造
１２  既打設でアーチ状の二次覆工コンクリート（覆工コンクリート）
１２ａ  内壁面（内周面）
１３  発砲スチロール材（養生材）
１３ａ  表面
１３ｂ  裏面
１３ｃ  係合凹部
１３ｄ  係止凸部
１３ｅ  係止凹部
１４  アーチ状のエアチューブ（保持材）
【図１】
2006328869.tif 000003
【図２】
2006328869.tif 000004
【図３】
2006328869.tif 000005
【図４】
2006328869.tif 000006
【図５】
2006328869.tif 000007
【手続補正書】
【提出日】平成18年5月19日(2006.5.19)
【手続補正１】
【補正対象書類名】特許請求の範囲
【補正対象項目名】全文
【補正方法】変更
【補正の内容】
【特許請求の範囲】
【請求項１】
アーチ状の覆工コンクリートの内周面を養生材で覆って該アーチ状の覆工コンクリートを養生させるようにした覆工コンクリート養生構造において、
前記アーチ状の覆工コンクリートの内周面を、該アーチ状の覆工コンクリートの内周面の曲率に応じた形状の表面を有した複数の養生材で覆うと共に、該複数の養生材の各裏面をアーチ状の保持材で保持自在にしたことを特徴とする覆工コンクリート養生構造。
【請求項２】
請求項１記載の覆工コンクリート養生構造であって、
前記複数の養生材を略矩形板状にそれぞれ形成し、この略矩形板状の各養生材の周囲に係止凸部と係止凹部をそれぞれ形成して、これら係止凸部と係止凹部を介して相隣接する養生材同士を係止自在にしたことを特徴とする覆工コンクリート養生構造。
【請求項３】
請求項１記載の覆工コンクリート養生構造であって、
前記複数の養生材の各裏面の中央に前記アーチ状の保持材を係合する係合凹部をそれぞれ形成したことを特徴とする覆工コンクリート養生構造。
【請求項４】
請求項１記載の覆工コンクリート養生構造であって、
前記複数の養生材として発泡スチロール材を用いたことを特徴とする覆工コンクリート養生構造。
【請求項５】
請求項１記載の覆工コンクリート養生構造であって、
前記アーチ状の保持材としてエアチューブを用いたことを特徴とする覆工コンクリート養生構造。
【手続補正２】
【補正対象書類名】明細書
【補正対象項目名】０００９
【補正方法】変更
【補正の内容】
【０００９】
請求項４の発明は、請求項１記載の覆工コンクリート養生構造であって、前記複数の養生材として発泡スチロール材を用いたことを特徴とする。
【手続補正３】
【補正対象書類名】明細書
【補正対象項目名】００１４
【補正方法】変更
【補正の内容】
【００１４】
請求項４の発明によれば、複数の養生材として発泡スチロール材を用いたことにより、アーチ状の覆工コンクリートの内周面の曲率に応じた形状に各発泡スチロール材の表面を簡単かつ確実に加工することができ、また、発泡スチロール材は軽量なため、アーチ状の覆工コンクリートの内周面に沿って周方向の全周に亘って発泡スチロール材を簡単かつ確実に建て込むことができる。
【手続補正４】
【補正対象書類名】明細書
【補正対象項目名】００１８
【補正方法】変更
【補正の内容】
【００１８】
図１，図４に示すように、覆工コンクリート養生構造１０は、例えば、山岳トンネル１１内の既打設でアーチ状の二次覆工コンクリート（覆工コンクリート）１２の内壁面（内周面）１２ａを複数の発泡スチロール材（養生材）１３で覆って該アーチ状の二次覆工コンクリート１２を養生させるものである。即ち、既打設でアーチ状の二次覆工コンクリート１２の内壁面１２ａは、該アーチ状の二次覆工コンクリート１２の内壁面１２ａの曲率に応じた形状の表面１３ａを有した複数の発泡スチロール材１３で覆われており、また、この複数の発泡スチロール材１３の各裏面１３ｂはゴム製でアーチ状のエアチューブ（保持材）１４で保持されるようになっている。
【手続補正５】
【補正対象書類名】明細書
【補正対象項目名】００１９
【補正方法】変更
【補正の内容】
【００１９】
図２，図３に示すように、各発泡スチロール材１３は略矩形板状にそれぞれ形成してあり、その裏面１３ｂの中央にはアーチ状のエアチューブ１４を係合する係合凹部１３ｃを形成してある。また、各発泡スチロール材１３の上部と左側部には繋ぎ部としての係止凸部１３ｄを形成してあると共に、各発泡スチロール材１３の右側部と下部には繋ぎ部としての係止凹部１３ｅを形成してある。これら係止凸部１３ｄと係止凹部１３ｅを介して相隣接する発泡スチロール材１３，１３同士が係止されるようになっている。尚、発泡スチロール材１３の幅（Ｓ）は例えば２００ｃｍ、高さ（Ｈ）は例えば７０ｃｍ、厚さ（Ｔ）は例えば１０ｃｍ、にそれぞれ形成してあるが、高さ（Ｈ）は異なるサイズのものが予め用意されている。
【手続補正６】
【補正対象書類名】明細書
【補正対象項目名】００２１
【補正方法】変更
【補正の内容】
【００２１】
まず、図４（ａ）に示すように、山岳トンネル１１内の地盤上の両側にエアチューブ１４の両端を固定し、該エアチューブ１４内に空気を注入して膨らませる。そして、山岳トンネル１１内の既打設でアーチ状の二次覆工コンクリート１２の内壁面１２ａに沿うようにエアチューブ１４を立てる。この際に、エアチューブ１４内には空気を完全に入れることなく、アーチ状の二次覆工コンクリート１２の内壁面１２ａとエアチューブ１４との間に発泡スチロール材１３を建て込む空間を作っておく。
【手続補正７】
【補正対象書類名】明細書
【補正対象項目名】００２２
【補正方法】変更
【補正の内容】
【００２２】
次に、図４（ｂ）に示すように、アーチ状の二次覆工コンクリート１２の内壁面１２ａとエアチューブ１４との間に発泡スチロール材１３を挿入してアーチ状の二次覆工コンクリート１２の内壁面１２ａに沿って周方向に発泡スチロール材１３を建て込んで行く。この際に、略矩形板状の各発泡スチロール材１３の周囲に形成された係止凸部１３ｄと係止凹部１３ｅを介して相隣接する発泡スチロール材１３同士を係止させる。また、各発泡スチロール材１３の各裏面１３ｂの中央の係合凹部１３ｃにアーチ状のエアチューブ１４を係合させる。
【手続補正８】
【補正対象書類名】明細書
【補正対象項目名】００２３
【補正方法】変更
【補正の内容】
【００２３】
そして、図４（ｃ）に示すように、アーチ状の二次覆工コンクリート１２の内壁面１２ａに沿って周方向の全周に亘って発泡スチロール材１３を建て込んだ後に、エアチューブ１４内には空気を完全に入れて、この空気が十分に注入されたアーチ状のエアチューブ１４でアーチ状の二次覆工コンクリート１２の内壁面１２ａに複数の発泡スチロール材１３を均等に押し付けることにより、図１及び図４（ｃ）に示す覆工コンクリート養生構造１０が完成する。
【手続補正９】
【補正対象書類名】明細書
【補正対象項目名】００２４
【補正方法】変更
【補正の内容】
【００２４】
この覆工コンクリート養生構造１０では、図１に示すように、発泡スチロール材１３がアーチ状の二次覆工コンクリート１２の内壁面１２ａに密着、もしくは微小の空気層を有して保持されることで、アーチ状の二次覆工コンクリート１２の内壁面１２ａから逸脱する水分を封じ込むことができる。これにより、アーチ状の二次覆工コンクリート１２の内壁面１２ａの付近の湿度は高く、湿潤な状態に保たれ、保湿効果が高められる。
【手続補正１０】
【補正対象書類名】明細書
【補正対象項目名】００２５
【補正方法】変更
【補正の内容】
【００２５】
また、発泡スチロール材１３がアーチ状の二次覆工コンクリート１２の内壁面１２ａに密着、もしくは微小の空気層を有して保持されることで、アーチ状の二次覆工コンクリート１２の内壁面１２ａから放熱される硬化熱を封じ込むことができる。これにより、アーチ状の二次覆工コンクリート１２の内外の温度差を少なくすることができ、断熱、保温効果を高めることができる。
【手続補正１１】
【補正対象書類名】明細書
【補正対象項目名】００２６
【補正方法】変更
【補正の内容】
【００２６】
以上実施形態の覆工コンクリート養生構造１０によれば、山岳トンネル１１内の既打設でアーチ状の二次覆工コンクリート１２の内壁面１２ａを、該アーチ状の二次覆工コンクリート１２の内壁面１２ａの曲率に応じた形状の表面１３ａを有した複数の発泡スチロール材１３で覆うと共に、該複数の発泡スチロール材１３の各裏面１３ｂをアーチ状のエアチューブ１４で保持するようにしたことにより、アーチ状の二次覆工コンクリート１２を簡単な構造で確実かつ低コストで養生させることができる。これにより、打設した後の二次覆工コンクリート１２の内壁面１２ａの保湿効果及び断熱、保温効果を高めることができ、ひび割れのない高品質な二次覆工コンクリート１２を構築することができる。
【手続補正１２】
【補正対象書類名】明細書
【補正対象項目名】００２７
【補正方法】変更
【補正の内容】
【００２７】
また、複数の発泡スチロール材１３を略矩形板状にそれぞれ形成し、この略矩形板状の各発泡スチロール材１３の周囲に係止凸部１３ｄと係止凹部１３ｅをそれぞれ形成して、これら係止凸部１３ｄと係止凹部１３ｅを介して相隣接する発砲スチロール材１３同士を係止するようにしたことにより、相隣接する発泡スチロール材１３同士の繋ぎ部分の隙間を簡単かつ確実に遮蔽することができ、外気を確実かつ有効に遮断することができる。
【手続補正１３】
【補正対象書類名】明細書
【補正対象項目名】００２８
【補正方法】変更
【補正の内容】
【００２８】
さらに、複数の発泡スチロール材１３の各裏面１３ｂの中央にアーチ状のエアチューブ１４を係合する係合凹部１３ｃをそれぞれ形成したことにより、複数の発泡スチロール材１３の各裏面１３ｂの中央の係合凹部１３ｃにアーチ状のエアチューブ１４を確実に係合させることできると共に、複数の発泡スチロール材１３の各表面１３ａをアーチ状の二次覆工コンクリート１２の内壁面１２ａに密着、或いは、微小の空気層を介して確実に当接させることができる。
【手続補正１４】
【補正対象書類名】明細書
【補正対象項目名】００２９
【補正方法】変更
【補正の内容】
【００２９】
さらに、複数の養生材として発泡スチロール材１３を用いたことにより、アーチ状の二次覆工コンクリート１２の内壁面１２ａの曲率に応じた形状に各発泡スチロール材１３の表面１３ａを簡単かつ確実に加工することができる。また、発泡スチロール材１３は軽量なため、アーチ状の二次覆工コンクリート１２の内壁面１２ａに沿って周方向の全周に亘って発泡スチロール材１３を簡単かつ確実に建て込むことができる。さらに、アーチ状の保持材としてエアチューブ１４を用いたことにより、このアーチ状のエアチューブ１４にてアーチ状の二次覆工コンクリート１２の内壁面１２ａに複数の発泡スチロール材１３を均等に押し付けることができる。
【手続補正１５】
【補正対象書類名】明細書
【補正対象項目名】００３０
【補正方法】変更
【補正の内容】
【００３０】
尚、前記実施形態によれば、山岳トンネル内の既打設でアーチ状の二次覆工コンクリートを初期養生する場合について説明したが、養生対象は山岳トンネル内の既打設の二次覆工コンクリートに限られず、例えば、アーチカルバート等の他のアーチ状の二次覆工コンクリートに前記実施形態を適用しても良い。また、養生材として発泡スチロール材を用いたが、他の軽量な断熱材等を用いても良い。さらに、保持材としてエアチューブを用いたが、アール加工した鋼製山形鋼や復元力のあるグラスファイバーや塩化ビニルパイプ等を用いても良い。この塩化ビニルパイプを用いた場合には、軽量かつ安価で経済性の面で有利になる。
【手続補正１６】
【補正対象書類名】明細書
【補正対象項目名】００３２
【補正方法】変更
【補正の内容】
【００３２】
１０  覆工コンクリート養生構造
１２  既打設でアーチ状の二次覆工コンクリート（覆工コンクリート）
１２ａ  内壁面（内周面）
１３  発泡スチロール材（養生材）
１３ａ  表面
１３ｂ  裏面
１３ｃ  係合凹部
１３ｄ  係止凸部
１３ｅ  係止凹部
１４  アーチ状のエアチューブ（保持材）